(57)【要約】【課題】  本発明は、ブロック本体と、側方方向に延出して土圧を受ける延出ブロックとが別個に作製されてなり、互いに組み合わせて使用するコンクリートブロックであるとともに、ブロック本体に対する土圧の高い側方荷重に耐えることのできるコンクリートブロックを提供する。【解決手段】  本発明にかかるコンクリートブロック１００は、側溝ブロック、擁壁ブロック等のブロック本体１０と、前記ブロック本体の側面から延出してなる土圧受け用の延出ブロック２０と、を有するコンクリートブロックにおいて、前記ブロック本体の側面には、側方方向に延設されてなるとともに、上面がブロック本体から端部に向けて高くなる傾斜面に形成されている延設部１３が設けられており、前記延出ブロックは、前記延設部の上面に対向し、かつ略平行に形成された下面を有することを特徴とする。【選択図】図２
2019173318.tif 000002
【特許請求の範囲】
【請求項１】
側溝用ブロック、擁壁ブロック等のブロック本体と、前記ブロック本体の側面から延出してなる土圧受け用の延出ブロックと、を有するコンクリートブロックにおいて、
前記ブロック本体の側面には、側方方向に延設されてなるとともに、上面が前記ブロック本体から端部に向けて高くなる傾斜面に形成されている延設部が設けられており、
前記延出ブロックは、前記延設部の上面に対向し、かつ略平行に形成された下面を有することを特徴とするコンクリートブロック。
【請求項２】
前記上面は、前記延出ブロックの底面に対して、３０°以上６０°以下であることを特徴とする請求項１に記載のコンクリートブロック。
【請求項３】
前記延出ブロックは、前記延設部が嵌合可能となるように、反転された形状を有する切欠部を備えていることを特徴とする請求項１又は２に記載のコンクリートブロック。
【請求項４】
前記ブロック本体と、前記延出ブロックを固定するために固定部材を備えていることを特徴とする請求項１から３のいずれか１項に記載のコンクリートブロック。
【請求項５】
前記固定部材は、前記ブロック本体の側面、前記延出ブロックの上面及び前記延出ブロックの垂直面に沿うように屈曲形成された板状に形成され、
前記ブロック本体の側面及び前記延出ブロックの垂直面に食い込むように取付けられていることを特徴とする請求項４に記載のコンクリートブロック。
【請求項６】
前記延出ブロックは、段差部が形成されており、前記段差部の谷部が面取り加工されていることを特徴とする請求項１から５のいずれか１項に記載のコンクリートブロック。
【発明の詳細な説明】
【技術分野】
【０００１】
本発明は、コンクリートブロックに関する。
【背景技術】
【０００２】
本体となるブロックの底部に側方に延出するＬ字型ブロックにおいて、側方方向に延出する延出ブロックが別体で作製されているものとして、側溝部を有する本体ブロックと、この本体ブロックの外側面から延出する延出ブロックとを備えてなり、本体ブロックと延出ブロックとを別体に形成し、本体ブロックの外側面にネジ孔と、延出ブロックのネジ孔と対応する部位に係止孔を設け、係止孔に挿入され且つネジ穴に螺着されたボルトにより本体ブロックと延出ブロックとを一体化した側溝ブロックが提案されている（特許文献１）。
【０００３】
かかる側溝ブロックによれば、保管・運搬等の取扱いが容易であり、しかも、小型で単純な形状の型枠によって形成することができるという効果を有する。
【０００４】
しかしながら、Ｌ字型のブロック構造物は、本体ブロックに対してかかる横圧は、図７に示すように、横方向に押し出す力と、転倒させるように回転方向にかかる力がある。掛かる特許文献１にかかる側溝ブロックは、本体ブロックと延出ブロックをボルトで固定する方式であるため、固定箇所が点にすぎず、本体ブロックに対して側方方向に力が加わると、ボルト及びボルトのつなぎ目部分に力が集中してしまい、耐えられる側方荷重の限界が低いという問題点があった。特に回転方向にかかる力は、ボルトに対して折り曲げる方向に力が加わるため、擁壁等に使用するには固定力が足りないという問題があった。
【先行技術文献】
【特許文献】
【０００５】
【特許文献１】特開平８−２７００６０号公報
【発明の概要】
【発明が解決しようとする課題】
【０００６】
そこで、本発明は、かかる課題を解決するためになされたものであり、ブロック本体と、側方方向に延出して土圧を受ける延出ブロックとが別個に作製されてなり、互いに組み合わせて使用するコンクリートブロックであるとともに、ブロック本体に対する土圧の高い側方荷重に耐えることのできるコンクリートブロックを提供することを主たる目的とする。
【課題を解決するための手段】
【０００７】
本発明は、上述の目的を達成するために以下の手段を採った。
【０００８】
本発明にかかるコンクリートブロックは、
側溝用ブロック、擁壁ブロック等のブロック本体と、前記ブロック本体の側面から延出してなる土圧受け用の延出ブロックと、を有するコンクリートブロックにおいて、
前記ブロック本体の側面には、側方方向に延設されてなるとともに、上面がブロック本体から端部に向けて高くなる傾斜面に形成されている延設部が設けられており、
前記延出ブロックは、前記延設部の上面に対向し、かつ略平行に形成された下面を有することを特徴とする。
【０００９】
本発明にかかるコンクリートブロックによれば、ブロック本体に側方から荷重が加わった場合において、ブロック本体に対して横方向に押圧する力及びブロック本体にかかる回転の力に対して、それぞれブロック本体と延出ブロックとが面で抵抗するように配置されているため、横方向へ押圧する力及び回転する力が一点に集中することを低減することができ、より高い側方からの荷重に対して耐えることができる。
【００１０】
また、本発明にかかるコンクリートブロックにおいて、前記上面は、延出ブロックの底面に対して、３０°以上６０°以下であることを特徴とするものであってもよい。
【００１１】
ブロック本体に対する転倒するような回転する力が加わった場合に、延出ブロックの上面の角度を３０°以上６０°以下に形成することによって、ブロック本体と、延出ブロックとの間に加わる力が接する面に対して垂直に近くなるので、より高い荷重に耐えることができるようになる。
【００１２】
さらに、本発明にかかるコンクリートブロックにおいて、前記延出ブロックは、前記延設部が嵌合可能となるように、反転された形状を有する切欠部を備えていることを特徴とするものであってもよい。
【００１３】
かかる構成を採用することによって、延設部の上面及び端面が面で接することになるので、ブロック本体にかかる回転方向の力を分散させることができ、より高い荷重に耐えることができる。
【００１４】
さらに、本発明にかかるコンクリートブロックにおいて、
前記ブロック本体と、前記延出ブロックを固定するために固定部材を備えていることを特徴とするものであってもよい。
【００１５】
固定部材を使用することによって、ブロック本体と延出ブロックとの相対位置を固定することができるため、ブロック本体に対して延出ブロックが横滑りしたり、押し出されたりする可能性をさらに低減することができる。
【００１６】
さらに、本発明にかかるコンクリートブロックにおいて、前記固定部材は、ブロック本体の側面、延出ブロックの上面及び延出ブロックの垂直面に沿うように屈曲形成された板状に形成され、
前記ブロック本体の側面及び延出ブロックの垂直面に食い込むように取付けられていることを特徴とするものであってもよい。
【００１７】
かかる構成を採用することによって、ブロック本体と延出ブロックは、互いに水平方向及び垂直方向の両方で相互位置が固定されるため、より強固に互いの位置関係がずれることを防止することができる。
【００１８】
さらに、本発明にかかるコンクリートブロックにおいて、
前記延出ブロックは、段差部が形成されており、段差部の谷部が面取り加工されていることを特徴とするものであってもよい。
【００１９】
かかる構成を採用することによって、段差部の谷部に力が集中することを防止でき、ブロック本体にかかる高い側方荷重に耐えることができる。
【発明の効果】
【００２０】
本発明にかかるコンクリートブロックによれば、ブロック本体と、土圧を受ける延出ブロックが別個に作製されてなり、互いに組み合わせて使用するコンクリートブロックであるとともに、ブロック本体に対して高い側方荷重に耐えることのできるコンクリートブロックを提供することができる。
【図面の簡単な説明】
【００２１】
【図１】図１は、実施形態にかかるコンクリートブロック１００の斜視図である。
【図２】図２は、実施形態にかかるコンクリートブロック１００の分解斜視図である。
【図３】図３は、ブロック本体１０のバリエーションを示す斜視図である。
【図４】図４は、延出ブロック２０のバリエーションを示す側面図である。
【図５】図５は、実施形態にかかるコンクリートブロック１００の別実施形態を示す側面図である。
【図６】図６は、固定金具の別実施形態を示す側面図である。
【図７】図７は、本発明にかかるコンクリートブロックにかかる力の関係を示す図である。
【発明を実施するための形態】
【００２２】
以下、本発明の実施形態にかかるコンクリートブロック１００について、図面に従って詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。
【００２３】
（第１実施形態）
第１実施形態にかかるコンクリートブロック１００が図１に示されている。図１は、本実施形態にかかるコンクリートブロック１００の斜視図であり、図２は、本実施形態にかかるコンクリートブロック１００の分解斜視図である。
【００２４】
第１実施形態にかかるコンクリートブロック１００は、図１又は図２に示すように、主として、ブロック本体１０、延出ブロック２０及び固定部材３０を備えている。
【００２５】
ブロック本体１０は、図１に示すような擁壁ブロックであってもよいし、図３Ａに示すように、Ｕ字側溝、又は図３Ｂに示すように可変側溝等であってもよく、またこれらに限定するものではない。ブロック本体１０の側方に延出する延出部を必要とする土木構築用のコンクリートブロックであれば、ブロック本体１０の機能については特に限定するものではない。
【００２６】
ブロック本体１０の側面１４には、側方方向へ延設された延設部１３を有している。延設部１３の上面１３ａは、ブロック本体１０から延設部端部１３ｂに向かって高くなるような傾斜面に形成されている。傾斜面の角度は、特に限定するものではないが、好ましくは、水平面（ブロック底面）に対して３０°以上６０°以下となるように形成するとよい。その理由は以下に述べる。
【００２７】
延出ブロック２０は、ブロック本体１０の下方底面側に取付けられて、主として、上方に埋設される埋設土の土圧を受けてブロック本体１０が水平方向にずれたり、転倒することを防止する部分である。そのため、埋設土の土圧を受ける板状の平板部２１を有する。また、延出ブロック２０は、ブロック本体１０と組み合わされる側の端部（以下「本体側端部２２」という。）には、図２に示すように、延設部１３の上面１３ａに対してほぼ平行に形成された下面２３がブロック本体１０の上面１３ａに対向するように形成されており、延設部１３と嵌合するように切欠部２４が形成されている。好ましくは、下面２３は、上面１３ａとほぼ同面積に形成し、切欠部２４は、延設部１３に対して反転された形状にして、延設部１３と切欠部２４が嵌合するように形成するとよい。かかる構成を採用することによって、上面１３ａと下面２３、ブロック本体１０の側面１４と延出ブロック２０の本体側端部２２、及び延設部端部１３ｂと延出ブロック２０の切欠部２４内の端面２２ａとが面で接触するため、互いに押圧しあったときに圧力が分散され、より高い圧力に耐えることができる。延出ブロック２０は、図２に示すように、平板部２１が薄くなるように段差を形成してもよいし、図４に示すように、段差がなく１枚の平面からなる板状に形成してもよい。段差を形成した場合には、段差部の谷の部分を丸面や角面による面取り加工を施すとよい。かかる構成を採用することによって、谷部が鈍角又は曲面で形成されるため、応力が集中することが防止でき、延出ブロック２０が破損する可能性を低減することができる。
【００２８】
また、延設部１３の延設部端部１３ｂの上端１３ｃと延出ブロック２０の本体側端部２２の下端２２ｃを鋭角に形成すると、先端が欠けやすくなることから、図５に示すように、上端１３ｃ及び下端２２ｃに丸面や角面による面取り加工を施すとよい。さらに、これら上端１３ｃ及び下端２２ｃにそれぞれ対向する延設部側谷部１３ｄ及び延出ブロック側谷部２２ｄにも丸面や角面による面取り加工を施すとよい。かかる構成を採用することによって、谷部が鈍角又は曲面で形成されるため、応力が集中することが防止でき、それぞれのブロックが破損する可能性を低減することができる。
【００２９】
固定部材３０は、ブロック本体１０と延出ブロック２０とを互いに固定するための部材であり、屈曲形成された金属製の金具で作製されている。固定部材３０は、図１に示すように、ブロック本体１０の側面１４及び延出ブロック２０の上面２５に沿うように屈曲形成されており、ブロック本体１０の側面１４に形成された本体側固定用孔１４ａと、延出ブロック２０の上面２５に形成された延出ブロック側固定用孔２５ａを利用してボルト等の螺合部材によって固定される。固定部材３０を使用してブロック本体１０と延出ブロック２０を固定することで、ブロック本体１０と延出ブロック２０との垂直方向及び水平方向の相互の位置関係が固定される。また、固定部材３０としては、図６に示すように、延出ブロック２０の段差部の垂直面２６に沿うように断面クランク状に形成し、さらに、先端にそれぞれブロック本体１０及び延出ブロック２０に食い込むように掛かり片３１を形成するとよい。かかる固定部材３０を使用することにより、それぞれの掛かり片３１がブロック本体１０及び延出ブロック２０に食い込んで、垂直方向に移動することをより効果的に防止することができる。
【００３０】
以上のように作製されたコンクリートブロック１００は、以下のようにして使用される。側溝や擁壁等のブロック本体１０を敷設する場所に基礎面を形成し、ブロック本体１０を敷設する。次に、設置されたブロック本体１０に、延出ブロック２０の切欠部２４が延設部１３と嵌合するように嵌め込みつつ延出ブロック２０を設置する。その後、ブロック本体１０と延出ブロック２０を固定部材３０で固定する。そして、延出ブロック２０の上面２５に埋設土を埋設して敷設される。
【００３１】
このようにして敷設されたコンクリートブロック１００は、ブロック本体１０の側面１４に側方から土圧がかかる。この際に、ブロック本体１０に対しては、図７に示すように、水平方向に加わる力Ａと、ブロック本体１０の延出ブロック２０と反対側下方端部Ｂを支点とした回転方向（転倒する方向）の力Ｃが加わる。
【００３２】
力Ａに関しては、ブロック本体１０が水平方向へ移動しようとする力であるが、延設部１３の上面１３ａ及び延出ブロック２０の下面２３は、水平方向に対して傾斜して形成されているため、ブロック本体１０が水平方向に移動しようとした場合に、延設部１３の上面１３ａが延出ブロック２０の下面２３に引っ掛かり抜けない形状になっているため、水平方向へ移動することが防止される。
【００３３】
次に、力Ｃに関しては、ブロック本体１０の上面１３ａ及び延出ブロック２０の下面２３は、水平方向に対して傾斜して形成されているため、図７に示すように、上面１３ａ及び下面２３が互いに押圧する方向に力が加わるため、互いに抵抗し、ブロック本体１０が転倒することが防止される。この際に、上面１３ａ及び下面２３の傾斜角度を３０°から６０°に設定することにより、転倒しようとする方向に対して、上面１３ａ及び下面２３が垂直方向に近い方向に力が加わり易くなるので滑りを防止でき、より高い転倒防止効果を発揮することができる。さらに、固定部材３０によって、上面１３ａ及び下面２３の上方でも固定することができ、力を分散せることができるので、さらに、ブロック本体１０が転倒する可能性が低減される。
【００３４】
本発明にかかるコンクリートブロック１００によれば、現場において２つのブロックを組み合わせるだけでよいので、現場でコンクリートを打設する必要がなく、養生する期間がないため、工期を短縮することができる。
【００３５】
また、本発明にかかるコンクリートブロック１００によれば、ブロック本体１０と延出ブロック２０を分離した状態で運搬及び保管を行うことができるので、一体型のタイプと比較して延出部が折れたりして破損することがない。また、同一面積により多くのコンクリートブロックを保管することができる。
【００３６】
さらに、延出ブロック２０の延出部の長さが異なるものを複数用意することにより、ブロック本体１０は共通で、延出部の長さの異なる延出ブロック２０を組み合わせることにより、様々な長さの延出部を有するコンクリートブロックを作製することができる。そのため、現場で適切なコンクリートブロックを提供することができる。
【００３７】
また、組み合わせた後にブロック本体１０と延出ブロック２０を固定する際には、比較的高い位置となる延出ブロック２０の上面１３ａ及びその近傍の本体ブロックの側面１４に固定部材３０をボルト等で固定するだけでよいので、作業がし易くかつ迅速に固定することができる。
【００３８】
なお、本発明は、実施形態の構成に限定されるものではなく、本発明の要旨を逸脱しない範囲において適宜変更することができる。
【００３９】
上述した実施形態においては、ブロック本体１０の片方の側面１４に延出ブロック２０を設けた例を説明したが、ブロック本体１０の両側に延出ブロック２０を配置してもよい。
【産業上の利用可能性】
【００４０】
上述した実施の形態で示すように、コンクリート構築物として産業上利用することができる。
【符号の説明】
【００４１】
１０…ブロック本体、１３…延設部、１３ａ…上面、１３ｂ…延設部端部、１３ｃ…上端、１３ｄ…延設部側谷部、１４…側面、１４ａ…本体側固定用孔、２０…延出ブロック、２１…平板部、２２…本体側端部、２２ａ…端面、２２ｃ…下端、２２ｄ…延出ブロック側谷部、２３…下面、２４…切欠部、２５…上面、２５ａ…延出ブロック側固定用孔、２６…垂直面、３０…固定部材、３１…掛かり片、１００…コンクリートブロック
【図１】
2019173318.tif 000003
【図２】
2019173318.tif 000004
【図３】
2019173318.tif 000005
【図４】
2019173318.tif 000006
【図５】
2019173318.tif 000007
【図６】
2019173318.tif 000008
【図７】
2019173318.tif 000009
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ブロック本体と、前記ブロック本体の側面から延出してなる土圧受け用の延出ブロックと、を有するコンクリートブロックにおいて、
前記ブロック本体の側面には、側方方向に延設されてなるとともに、上面が前記ブロック本体から延設部端部に向けて高くなる傾斜面に形成されている延設部が設けられており、
前記延出ブロックは切欠部を有し、前記切欠部内に形成される端面と、前記延設部の上面に対向しかつ略平行に形成された下面と、前記延出ブロックの本体側に形成される本体側端部と、を有し、
前記上面と前記下面、前記ブロック本体の前記側面と前記延出ブロックの前記本体側端部、及び前記延設部端部と前記延出ブロックの前記切欠部内に形成される端面とがそれぞれ互いに面で接触することを特徴とするコンクリートブロック。
【請求項２】
前記上面は、前記延出ブロックの底面に対して、３０°以上６０°以下であることを特徴とする請求項１に記載のコンクリートブロック。
【請求項３】
前記ブロック本体と、前記延出ブロックを固定するために固定部材を備えていることを特徴とする請求項１又は２に記載のコンクリートブロック。
【請求項４】
前記固定部材は、前記ブロック本体の側面、前記延出ブロックの上面及び前記延出ブロックの垂直面に沿うように屈曲形成された板状に形成され、
前記ブロック本体の側面及び前記延出ブロックの垂直面に食い込むように取付けられていることを特徴とする請求項３に記載のコンクリートブロック。
【請求項５】
前記延出ブロックは、段差部が形成されており、前記段差部の谷部が面取り加工されていることを特徴とする請求項１から４のいずれか１項に記載のコンクリートブロック。